(57)【要約】本発明は、全般的に、女性生理用パッド、タンポン、創傷被覆材、包帯、その他などの、月経液を吸収するための製品に関する。本発明の吸収性物品は、液浸透性の支持布の上に間隔を置いて並べられた関係に配置された、液不透過性領域をもつカラーマスキング層を含む。この物品は、吸収性コア、トップシート、バックシート、および拡散層を、カラーマスキング層に加えて、または組合せて含んでよい。カラーマスキング層および支持布のＬ値は、Ｌ系が３５より小さいかまたは３５に等しい黒色または暗色については、好ましくは：〜の関係にある。すべての色について、カラーマスキング層および支持布のＬ値は、Ｌ系＞３５の場合には：〜の関係にある。吸収性物品は、液不透過性の表面からなるアレイを含んでよく、それはこの物品の吸収性コアの上に配置された支持布の、９５％までをカバーする。
2005525132.tif 000002
【特許請求の範囲】
【請求項１】
第１の液透過性支持布を有し、その上に第１のカラーパターンを有している、カラーマスキング層を有する、体液のための吸収性の身体用物品。
【請求項２】
前記カラーマスキング層が、体液に対する暴露のために前記物品の外表面として配置されている、請求項１に記載の物品。
【請求項３】
前記カラーパターンが多色のパターンである、請求項１に記載の物品。
【請求項４】
前記多色のパターンが、白以外の少なくとも２色を有する、請求項３に記載の物品。
【請求項５】
前記カラーパターンが、前記支持布の表面積の少なくとも２５％をカバーし、かつ前記パターンを形成している色のＬ値が、隣接する支持布のＬ値よりも大きい、請求項１に記載の物品。
【請求項６】
前記カラーマスキング層および支持布のＬ値が、
【数１】
2005525132.tif 000012
（ただし、すべての色についてＬ系＞３５）
の関係にある、請求項１に記載の物品。
【請求項７】
暗色のパターンをさらに含んでおり、前記カラーマスキング層および支持布のＬ値が、
【数２】
2005525132.tif 000013
（ただし、暗色についてＬ系≦３５）
の関係にある、請求項１に記載の物品。
【請求項８】
前記カラーマスキング層が、その上に体液が配置された後、約１フィート以上の距離において、肉眼によって見えるようなしみが実質的につかない、請求項１に記載の物品。
【請求項９】
前記カラーパターンを有する前記カラーマスキング層の領域もまた、実質的に疎水性である、請求項１に記載の物品。
【請求項１０】
前記疎水性の領域が、不規則な形状のラインか、不規則な形状か、または約０．１ｍｍよりも大きい長径の寸法を有している不規則な形状の領域からなる群の少なくとも一つを有する、請求項９に記載の物品。
【請求項１１】
前記カラーパターンが、全体的に規則的な幾何学形状を有する、請求項１に記載の物品。
【請求項１２】
前記全体的に規則的な幾何学形状が、前記支持布の平面において測定された場合、０．２ｍｍから２．０ｍｍまでの範囲の平均直径を有しており、かつ、前記規則的な幾何学形状の少なくとも半分の間のスペーシングが、前記支持布の平面において測定された場合、０．１ｍｍ〜２．０ｍｍの範囲内にある、請求項１１に記載の物品。
【請求項１３】
前記カラーマスキング層がさらに、液透過性支持布の上に間隔を置いて並べられた関係に配置された領域を含み、前記領域が、光学干渉フィルム、ホログラフィー用フィルム、モアレ模様、ホイル、高反射性の層、および蛍光性物質色素または染料、または可視スペクトルの顔料からなる群の少なくとも一つを有する、請求項１に記載の物品。
【請求項１４】
前記カラーマスキング層が、第２の液透過性支持布を有し、第２のカラーパターンをその上に有している下層をさらに有する、請求項１に記載の物品。
【請求項１５】
前記下層の支持布のＬ値が、前記第１のカラーパターンおよび第１の液透過性支持布のＬ系値よりも２０％少ない、請求項１４に記載の物品。
【請求項１６】
女性生理用ナプキン、タンポン、パンティライナー、汗パッド、創傷被覆材、および包帯よりなる群からの少なくとも一つの物品を含む、請求項１に記載の物品。
【請求項１７】
前記カラーマスキング層がさらに、前記第１の透過性支持シートおよび前記第１のカラーパターンの上に配置された開口されたシートを有する、請求項１に記載の物品。
【請求項１８】
前記開口されたシートが６０より大きいＬ値を有しており、かつ体液に対し暴露されるために前記物品の外表面として配置されている、請求項１７に記載の物品。
【請求項１９】
前記開口されたシートが非白色である、請求項１７に記載の物品。
【請求項２０】
前記上に置かれている開口されたシート及び前記カラーマスキング層の少なくとも１つが、前記物品の残余から除去可能である、請求項１７に記載の物品。
【請求項２１】
前記カラーマスキング層の少なくとも一部が、前記物品の残余から除去可能である、請求項１に記載の物品。
【請求項２２】
前記第１のカラーパターンが、多くの実質的に不透明な領域を含む、請求項１に記載の物品。
【請求項２３】
前記液透過性支持体が、実質的に透明である、請求項２２に記載の物品。
【請求項２４】
前記液透過性支持体が、実質的に半透明である、請求項２２に記載の物品。
【請求項２５】
前記カラーマスキング層の下に配置されたパッド構造であり、かつ前記パッド構造内に体液を吸収および保持するべく適応されたパッド構造をさらに有する、請求項２に記載の物品。
【請求項２６】
前記パッド構造がさらに、前記カラーマスキング層と前記パッド構造との間に配置された、非白色の拡散層を有する、請求項２５に記載の物品。
【請求項２７】
前記パッド構造がさらに、カラーパターンを上に配置した拡散層を有する、請求項２５に記載の物品。
【請求項２８】
前記カラーマスキング層のしみのない領域と、体液でしみのついたカラーマスキング層の領域との間の、コントラスト（ΔＥ）が５０未満であり、Ｌ系の値が３５より大きい、請求項１に記載の物品。
【請求項２９】
前記コントラスト（ΔＥ）が２０未満である、請求項２８に記載の物品。
【請求項３０】
前記コントラスト（ΔＥ）が１２未満である、請求項２８に記載の物品。
【請求項３１】
前記コントラスト（ΔＥ）が４未満である、請求項２８に記載の物品。
【請求項３２】
前記コントラスト（ΔＥ）が２未満である、請求項２８に記載の物品。
【請求項３３】
前記コントラスト（ΔＥ）が１未満である、請求項２８に記載の物品。
【請求項３４】
暗色のパターンをさらに含んでおり、かつ前記カラーマスキング層のしみのない領域と、体液でしみのついたカラーマスキング層の領域との間の、コントラスト（ΔＥ）が５０未満であり、Ｌ系の値が３５未満である、請求項１に記載の物品。
【請求項３５】
前記コントラスト（ΔＥ）が２０未満である、請求項３４に記載の物品。前記コントラスト（ΔＥ）が２０未満である、特許請求の範囲第１０９項に記載の物品。
【請求項３６】
前記コントラスト（ΔＥ）が１２未満である、請求項３４に記載の物品。
【請求項３７】
前記コントラスト（ΔＥ）が４未満である、請求項３４に記載の物品。
【請求項３８】
前記コントラスト（ΔＥ）が２未満である、請求項３４に記載の物品。
【請求項３９】
前記コントラスト（ΔＥ）が１未満である、請求項３５に記載の物品。
【請求項４０】
前記カラーマスキング層がさらに、前記液透過性支持布の上に間隔を置いて並べられた関係に配置された液不透過性領域を含み、前記カラーパターンの少なくとも一部が前記液不透過性領域上に見えている、請求項１に記載の物品。
【請求項４１】
前記液透過性領域が穿孔されている、請求項４０に記載の物品。
【請求項４２】
前記液不透過性領域が多数の色を含む、請求項４０に記載の物品。
【請求項４３】
前記液不透過性領域がパターンを形成する、請求項４０に記載の物品。
【請求項４４】
前記液不透過性領域が、前記液不透過性領域の物理的な大きさにしたがったパターンにアレンジされる、請求項４３に記載の物品。
【請求項４５】
前記液不透過性領域の少なくとも一部の外表面が疎水性材料を含む、請求項４０に記載の物品。
【請求項４６】
前記疎水性材料が、ポリオレフィン、フルオロカーボンポリマー、フルオロシリコーンポリマー、シリコーン、ポリビニルハロゲン化物、およびナイロン、またはその混合物から成る群の少なくとも１つの材料を有する、請求項４５に記載の物品。
【請求項４７】
一つの液不透過性領域を有する前記疎水性材料の少なくとも一部が、さらに第２の疎水性材料によりコートされる、請求項４５に記載の物品。
【請求項４８】
前記液透過性支持布の少なくとも一部が、実質的に親水性材料によりコートされる、請求項４５に記載の物品。
【請求項４９】
前記不透過性領域が、それに接している体液の前記物品内への流れを促進する形状を形成するべく、前記支持布から上方に伸びている、請求項４０に記載の物品。
【請求項５０】
前記液不透過性領域が、前記支持布から上方に伸びており、かつ使用者と接触するための支持布の表面積を減じるべく形づけられる、請求項４０に記載の物品。
【請求項５１】
前記支持布の平面における、前記液不透過性領域の最大横断面寸法が、少なくとも０．１ｍｍより大きい、請求項４０に記載の物品。
【請求項５２】
前記支持布に対して垂直の角度で見た場合、前記液不透過性領域が、前記支持布材料の９５％までをカバーする、請求項４０に記載の物品。
【請求項５３】
前記支持布に対して垂直の角度で見た場合、前記液不透過性領域が、前記支持布材料の８０％までをカバーする、請求項４０に記載の物品。
【請求項５４】
前記支持布に対して垂直の角度で見た場合、前記液不透過性領域が、前記支持布材料の５０％までをカバーする、請求項４０に記載の物品。
【請求項５５】
前記支持布が、多数の支持布を積層された関係において有し、その上に少なくとも一つの不透過性領域を有する、請求項４０に記載の物品。
【請求項５６】
前記液不透過性領域が、前記支持布の平面において測定された場合、０．２ｍｍから２．０ｍｍまでの平均直径を有している、全体的に規則的な幾何学形状を含む、請求項４０に記載の物品。
【請求項５７】
前記液不透過性領域の少なくとも半分の間のスペーシングが、前記支持布の平面において測定された場合、０．１ｍｍ〜２．０ｍｍの範囲にある、請求項５６に記載の物品。
【請求項５８】
前記カラーマスキング層が、第２の液不透過性支持布を有し、かつその上に第２のカラーパターンを有している下層をさらに含む、請求項４０に記載の物品。
【請求項５９】
前記下層が、前記第２の液不透過性支持布上に間隔を置いて並べられた関係に配置された、多数の液不透過性領域を含む、請求項５８に記載の物品。
【請求項６０】
前記カラーマスキング層のしみのない領域と、体液でしみのついたカラーマスキング層の領域との間のコントラスト（ΔＥ）が２０未満であり、Ｌ系の値が３５より大きい、請求項４０に記載の物品。
【請求項６１】
前記コントラスト（ΔＥ）が１２未満である、請求項６０に記載の物品。
【請求項６２】
前記コントラスト（ΔＥ）が４未満である、請求項６０に記載の物品。
【請求項６３】
前記コントラスト（ΔＥ）が２未満である、請求項６０に記載の物品。
【請求項６４】
前記コントラスト（ΔＥ）が１未満である、請求項６０に記載の物品。
【請求項６５】
暗色のパターンを有し、かつ前記カラーマスキング層のしみのない領域と、体液でしみのついたカラーマスキング層の領域との間のコントラスト（ΔＥ）が２０未満であり、Ｌ系の値が３５未満である、請求項４０に記載の物品。
【請求項６６】
前記コントラスト（ΔＥ）が１２未満である、請求項６５に記載の物品。
【請求項６７】
前記コントラスト（ΔＥ）が４未満である、請求項６５に記載の物品。
【請求項６８】
前記コントラスト（ΔＥ）が２未満である、請求項６５に記載の物品。
【請求項６９】
前記コントラスト（ΔＥ）が１未満である、請求項６５に記載の物品。
【請求項７０】
体液に対する暴露のために前記物品の外表面に配置された、液透過性カラーマスキング層を有しており、前記カラーマスキング層が実質的に一色を有し、前記カラーマスキング層のしみのない領域と、体液でしみのついたカラーマスキング層の領域との間のコントラスト（ΔＥ）が５０未満であり、かつＬ系の値が３０より大きい、吸収性の身体用物品。
【請求項７１】
前記コントラスト（ΔＥ）が２０未満である、請求項７０に記載の物品。
【請求項７２】
前記コントラスト（ΔＥ）が１２未満である、請求項７０に記載の物品。
【請求項７３】
前記コントラスト（ΔＥ）が４未満である、請求項７０に記載の物品。
【請求項７４】
前記コントラスト（ΔＥ）が２未満である、請求項７０に記載の物品。
【請求項７５】
前記コントラスト（ΔＥ）が１未満である、請求項７０に記載の物品。
【請求項７６】
前記カラーマスキング層が、６０より大きいＬ値を有している、請求項７０に記載の物品。
【請求項７７】
前記カラーマスキング層が、前記液透過性表面と使用者との間に配置され、６０より大きいＬ値を有している穿孔されたシートをさらに有する、請求項７０に記載の物品。
【請求項７８】
前記穿孔されたシートが、前記カラーマスキング層のしみのない領域と、体液でしみのついたカラーマスキング層の領域との間に、１０未満のΔＥを有する、請求項７０に記載の物品。
【請求項７９】
体液に対する暴露のために前記物品の外表面に配置された、液体透過性のカラーマスキング層を有しており、前記カラーマスキング層が実質的に一色であって、液体透過性の空間により分離された、液体不透過性の材料を含んでいる多数の領域をさらに有する、吸収性の身体用物品。
【請求項８０】
前記カラーマスキング層のＬ値、および前記液透過性空間のＬ値が、
【数３】
2005525132.tif 000014
（ただし、すべての色についてＬ系＞３５）
の関係にある、請求項７９に記載の物品。
【請求項８１】
前記液不透過性材料が、前記カラーマスキング層の９５％未満の表面を有し、かつ前記領域が、前記領域の隣接する一つと互いに連結している、請求項７９に記載の物品。
【請求項８２】
前記液不透過性材料が、前記カラーマスキング層の８０％未満の表面を有する、請求項８１に記載の物品。
【請求項８３】
前記液不透過性領域の少なくとも外表面が実質的に疎水性であり、かつ前記液透過性支持布が実質的に親水性である、請求項７９に記載の物品。
【請求項８４】
前記液不透過性領域が、それに接している体液の前記物品内への流れを促進する形状を形成するために、前記支持布から上方に伸びている、請求項７９に記載の物品。
【請求項８５】
前記液不透過性領域が、前記支持布から上方に伸びており、かつ使用者と接触している支持布の表面積を減少するように形成される、請求項７９に記載の物品。
【請求項８６】
前記液不透過性領域および液透過性領域の双方が、ともに実質的に白色であって、前記液不透過性領域が６０より大きいＬ値を有しかつ実質的に疎水性であり、前記液透過性領域が、前記液不透過性領域のそれより実質的に２０％以上小さいＬ値を有しかつ実質的に親水性であり、前記カラーマスキング層が、その上に体液を置かれた後、肉眼によって見えるようなしみを作らない、請求項７９に記載の物品。
【請求項８７】
前記液不透過性領域が、前記支持布の平面において測定された場合、０．２ｍｍから２．０ｍｍまでの範囲の平均直径を有している、全体的に規則的な幾何学形状を有する、請求項８６に記載の物品。
【請求項８８】
前記液不透過性領域の少なくとも半分の間のスペーシングが、前記支持布の平面において測定された場合、０．３ｍｍ〜２．０ｍｍの範囲内にある、請求項８７に記載の物品。
【請求項８９】
前記カラーマスキング層のしみのない領域と、体液でしみのついたカラーマスキング層の領域との間のコントラスト（ΔＥ）が５０未満であり、前記カラーマスキング層のＬ値が３０より大きい、請求項７９に記載の物品。
【請求項９０】
前記コントラスト（ΔＥ）が２０未満である、請求項８９に記載の物品。
【請求項９１】
前記コントラスト（ΔＥ）が１２未満である、請求項８９に記載の物品。
【請求項９２】
前記コントラスト（ΔＥ）が４未満である、請求項８９に記載の物品。
【請求項９３】
前記コントラスト（ΔＥ）が２未満である、請求項８９に記載の物品。
【請求項９４】
前記コントラスト（ΔＥ）が１未満である、請求項８９に記載の物品。
【請求項９５】
前記液透過性空間が穿孔されている、請求項７９に記載の物品。
【発明の詳細な説明】
【技術分野】
【０００１】
本発明は全般的に、体液を吸収するための、女性生理用パッド、タンポン、創傷被覆材、包帯、およびそれに類する、体液を吸収するための製品に関する。さらに詳細には、本発明は、血液または他の体液の視覚による認知を効果的に減じるべく適合されている、体液を吸収するための製品に関する。
【背景技術】
【０００２】
種々の身体用および使い捨ての吸収性物品が周知であり、広く用いられている。このような広く用いられている吸収用製品の実例は、女性生理用パッド、成人失禁用製品、おむつ、タンポン、および包帯を含む。たとえば、体液の吸収用に設計された女性生理用パッドおよび包帯といった吸収性製品は周知であり、ほとんどの先進国において広く使用されている。
【０００３】
今日用いられているほとんどの生理用パッドは、以後はより簡単に保持層と呼ばれる上部の液透過性の保持層と、下部の液不透過性の保護バリアーとの間に配置された、吸収性要素または吸収性コアを含んでなる。保持層は、織物か、不織物、またはウェブ状の、生地または層から形成することができ、疎水性または親水性のいずれかの材料から形成されることが可能である。保持層の一つの役割は、吸収性コアの遊離または結合したの吸収性繊維を包むこと、および生理用パッドに対し構造的な支持を提供することである。保持層が疎水性物質からなる場合には、着用者から放出された液体を吸収性コアに移すべく機能するとともに、着用者に比較的ドライな感覚を提供する。
【０００４】
任意に、疎水性物質からなる、織物、不織物、またはウェブ状の、生地または層が、液体が非保持性であるために着用者にさらなる快適を提供し、ひいてはドライ感覚に寄与するべく、前記保持層の上に配置されてよい。そのような布または層は、本文において「トップシート」と呼ばれる。任意に、月経液および他の膣排出物をより効率的に吸収性コアへ分散させるのを促進するべく、保持層と吸収性コアとの間に拡散層が配置されてもよい。吸収性コアは、月経液および他の膣排出物を受け入れ保持するべく適合されている。保護バリアまたはバックシートは、月経液または他の膣排出物が吸収性コアを通過すること、および着用者の衣類を汚すことを防ぐためのものである。
【０００５】
おむつ、失禁用製品、包帯、および汗パッドといった他の市販の吸収性物品は、上述の典型的な女性生理用パッドと大体同じ方式で機能する。使用者に面している液透過性の層は、血液、尿、および他の体液がそこを通過し、吸収性コアに貯蔵されるようにする。たとえば、典型的な包帯は、着用者の衣類を液体漏れから保護する、液不浸透性のバックシートを組入れている。
【０００６】
種々の形状およびデザインの液透過性保持層が使用されており、先行技術において周知である。典型的には、身体に面している保持層は柔らかな不織布から作られており、液体を吸収性コア内へ移動させるとともに、疎水性物質で調製される場合には、身体を排出物から分離して皮膚を清潔および乾燥状態に維持するようにする。ほとんどの先行技術による保持層物質についての重要な不利益は、この層の構造内に若干の液体がしばしば保持されることである。このことは結果的に、湿った表面が着用者に向けて配置されるばかりでなく、パッドの除去後にこの月経液の赤色が使用者により視覚的に明らかになってしまう。さらに、ほとんどの先行技術の女性衛生パッド（および包帯）のデザインは、使用済み製品の使用者に、トップシートおよび保持層の開いた構造を透かして、下部の拡散層内または吸収性コア内の血液または月経液の赤色を見せてしまう。この、使用された女性用パッド内の月経液の赤色を目にすることは、見苦しく、美的でなく、また望ましくないものとされてきた。
【０００７】
先行技術は、使用済みの女性用衛生パッドにおける赤色の月経液を使用者が目にすることに関連した不利益を克服するための、多くの視覚的遮断法を記述している。米国特許第５，６２０，７４１号は、視線へ視覚的遮断を与えるため、浸水性の保持層上に中空環状の疎水性の突出を用いている。米国特許第５，２６１，８９９号は、三つの層からなる保持層を記述しており、その一つが視覚の混濁化のための不透明化性のフィラーを含む保持層を記述している。米国特許第５，１５８，８１９号は、視線へ視覚的遮断を与える疎水性のマイクロバブル化された表面の変型の使用を記述している。
【０００８】
米国特許第５，０７８，７１０号は、視線へ視覚的遮断を与えるための、切り立った側面を有する陥凹を開口された疎水性の不透明フィルムからなる保持層の使用を記述している。米国特許第５，６９３，０３７号は、液体の流れを可能にする毛細管を含み、整列していない毛細管が視線に視覚的遮断を与えるようにする、二つの疎水性の層の使用を記述している。欧州特許出願ＥＰ１１７４１０１Ａ１号およびＥＰ１１０８４０６Ａ２号は、吸収性物品に向けられており、特に、生理用パッドは暗色に着色され、同様に暗色の下着および衣類とともに着用された場合、調和しかつ容易には明らかにならないようにされている。
【０００９】
それにもかかわらず、上述のアプローチは、使用済みの生理パッドに吸収された液体について、見る人からの視覚的な遮蔽を効果的に提供するという問題を完全には解決していない。先行技術の吸収性物品の上述および他の欠点のため、体液を吸収することおよび保持することの双方に効果的であり、かつまたそのような体液の存在についての視覚による認知を観察者または使用者から効果的に減じるべく有利に適合されている、生理用パッドなどの吸収性物品に対し、長い間必要性が感じられてきた。
【発明を実施するための最良の形態】
【００１０】
本発明の主要な目的を支持する好ましい実施態様が、次に記述される。本発明のカラーマスキング手段は、生理用パッド、失禁用製品、汗パッド、包帯、およびおむつなどの、基本的にいかなる市販の吸収性物品にも適用される。本発明の説明するために、本発明は、本文では主として女性生理用パッドに対する使用という面において記述されている。しかしながら、前述のいずれの製品も、本発明の教示の恩恵を被り、かつ本発明を取り入れることが可能であることが受け入れられるべきである。それゆえ、本文において示されかつ記述された実施例は、本発明の例証するものであって、制限するものとしてみなされるべきではない。
【００１１】
本発明の重要な観点によれば、女性生理用パッドには、カラーマスキング材料の層が具備される。カラーマスキング材料の層は、以下に詳細に記述されるように、月経液の赤色についての視覚による認知を減少させるとともに、生理パッドの機能性を妨げぬよう適合される。先に記述されたように、先行技術において記述された月経液の存在を曖昧にするための一つの一般的なアプローチは、生理パッドの上面に、薄い、疎水性の不透明なフィルムを供給することである。このようなフィルムを有する製品は、遅い液体吸収速度と、疎水性フィルムについての相対的な着け心地の悪さのため、広く受け入れられていない。本発明のカラーマスキング層は対照的に、月経液の赤色を効果的にマスクするとともに使用者の快適さを低下させないように、あるいは液体吸収特性を低下させないように適合されている。
【００１２】
本発明について使用が期待される吸収性の使い捨て物品は、一般に液透過性の保持層を含んでなり、それはさらに着用者または使用者に面している表面と、外側のまたはあるいは衣類に面している表面、およびそれらの間に配置された吸収性のコアを含んでなる。任意に、液透過性および疎水性の、織物か、不織物か、またはウェブ状の生地のトップシートが、保持層の上面に配置されてよい。任意に、月経液をより効果的に吸収性コアへ分布させるのを助けるべく、保持層と吸収性コアとの間に拡散層が配置されてもよい。
【００１３】
典型的な液不透過性のバックシートは、吸収性構造に保持された体液が、使用者の衣類などの吸収性製品と接する物品を濡らさないように設計されている。すなわち、典型的なバックシートは液体流動に対するバリアの働きをする。したがって、バックシートは吸収性構造の全表面にわたって広がり、任意のサイドの羽またはサイドを包んでいる要素の一部を形成していてもよい。
【００１４】
ポリマーフィルム（ポリエチレンまたはポリプロピレン熱可塑性フィルム等）のような織物または不織物の疎水性材料や、フィルムコートされた不織物材料のような複合材料などの、この技術において周知の種々の材料がバックシート材料としての使用に適している。典型的な生理用パッドのバックシートにおいては、ポリエチレンバックシートフィルムは３．０ミルより小さい厚さを有する。バックシートは、より布らしく魅力的な外観を提供するべく、エンボス仕上げがなされてもよい。
【００１５】
典型的な生理パッドのバックシート上に付着されて配置されるのは、吸収性コアである。本発明のカラーマスキング層は、基本的にこの技術において周知であるいかなる吸収性コアシステムを取り入れた生理用パッドと組合せて使用されてよい。吸収性コアという用語は、本文においては、月経液を吸収、分配、および貯蔵するための主要な機能を有する任意の材料または材料よりなる多数の層を指す。
【００１６】
拡散層は、吸収性コアの上で保持層の下に配置されてよい。典型的な液体拡散層は、保持層上の生理的に局在化された領域から、吸収性コアのほぼ全長および全幅に月経液を移すべく適合され、下にある液体貯蔵層または吸収性コアの液体吸収効率および収容能力を最大にするようにする。
【００１７】
吸収性コアまたは液体貯蔵層は、一般に綿などのセルロースを含めた吸収性材料を含み、ヒドロゲルおよびヒドロコロイド状の材料などの、吸収性ゲル材料を含んでよい。吸収性コアにおける使用のために好ましいゲル材料は、大量の体液を吸収するべく適合され、加圧下にそのような液体を保持することができる。
【００１８】
吸収性のゲル材料は、適当なゲル担体材料中に均一に、または不均一に分散されることが可能である。生理パッドに対する使用のためのゲル材料は、実質的に水膨潤性で不溶性の、架橋されたポリマーゲル材料が含まれていることが非常に多い。ゲル材料を保持するための担体は、天然繊維、加工繊維または合成繊維、または未加工のセルロース繊維でよい。好ましくは、ゲル材料を保持する担体材料は、親水性であるか、または親水性となるように処理され、液体をより効果的に吸収性コアへ引き入れるようにする。
【００１９】
先に議論されたように、液透過性の保持層は吸収性コアの上面に配置される。保持層は、好ましくはしなやかであり、着用者の皮膚に対し非刺激性である。この層はまた、様々な方向に引き伸ばされることを可能にする、弾性特性を示す材料から成ってもよい。この保持層もまた液透過性でなければならず、これにより体液が保持層の厚さを容易に通過できるようにする。保持層は、織物、不織物、またはウェブ状の、疎水性または親水性の材料、開口部が形成された熱可塑性フィルム、開口部を備えたプラスチックフィルム、およびハイドロフォーム形成された熱可塑性フィルムなどのポリマー材料から形成されてもよい。適当な織物および不織物は、さらに天然繊維、合成繊維、または天然および合成繊維の組合せから形成されてもよい。好ましい合成繊維の例としては、種々のポリエステルからなる比較的親水性のポリマー繊維、およびポリプロピレンまたはポリエチレン繊維などのポリオレフィンから調製される疎水性繊維またはウェブを含む。保持層が疎水性の繊維またはウェブ構造から調製される場合には、この層内の低減された液体保持率のため、増大された着用者の快適さを提供する。保持層が親水性の繊維またはウェブ構造から調製される場合には、保持層を通した吸収性コアへの液体移動は、より速い速度で進行できる。しかしながら、親水性材料の使用は、そのような材料の湿潤性のため、結果的に使用者に濡れ感を生じることもある。典型的な保持層は、吸収性構造全体にわたって広がる。
【００２０】
さらに、上述の保持層の上面の上には、パッドの着用者と直接に接触するトップシートが取り付けられてよい。トップシートは疎水性のウェブ構造か、または疎水性材料から調製された織物または不織物繊維から構成される。典型的なウェブ状トップシートは、ポリエチレンまたはポリプロピレンなどのポリオレフィンから構成される。トップシート構造に接している月経液は保持されず、下にある保持層へ移動され、したがって着用者に比較的ドライ感を提供することができる。トップシートは、保持層が親水性の織物または不織物か、あるいは親水性のウェブ状構造からなる場合に、これらの親水性材料の増大された湿潤性のため、配置されることが有利である。典型的なトップシートは、吸収性構造全体にわたり延在する。
【００２１】
典型的な生理用パッドにおいては、トップシート、保持層、拡散層、吸収性コア、およびバックシート等の構成部材が、使用可能な物品を形成するべく接合される。種々の要素および層は、連続的な接着剤の層、パターン化された接着剤の層、熱接合、または機械的接合の提供を含め、この技術において周知のいくつかの許容される方法のうちのいかなる方法によっても接合される。保持層もまた、吸収性物品の外周に沿ってバックシートに接合されてよい。さらに、生理用パッドのバックシートの衣類に面した表面は、下着に対し生理用パッドを接着させるために、接着剤の層が設けられてもよい。
【００２２】
ここで、本発明のカラーマスキング層に対する使用に適した生理用パッドについて典型的な構成を述べてきたが、いかにしてカラーマスキング層が作用するのかを考慮することは有益である。本発明のカラーマスキング層は、その最も単純な形状において、観察者の視覚による認知を減少するための、および生理用内にパッドに含まれる残留血液または月経液により生じた色のついたしみを使用者が見ることを妨げるための、視覚的に遮断する機構を使用する。
【００２３】
（視覚による観察を定義するための基準および測定）
視覚遮断は一般に、生理用パッドに対し、パッドの上に堆積されかつ内部に保持されている月経液を、目が見ることを妨げるべく行なわれる改造として定義される。先行技術における視覚遮断についての記述は、典型的には、観察者と生理用パッドの赤色またはしみついた成分との間の視線を妨害するか、またはパッド内の赤くしみついた成分の赤色を見ることを妨げるための不透明な材料を採用および使用した、パッド構成機構を採用している。しかしながら、本発明のカラーマスキング法の一つの態様は、種々の色および反射率の値を有している、大きさの可変な構成要素を使用することによって、全く異なる方式で、受け取られた映像を制御しようとしている。本発明の原理および実行は、以下に続く図面および説明を考慮することにより明らかとなるであろう。
【００２４】
対象について知覚された色は、可視領域内のスペクトルの電磁放射線の種々の周波数におけるその材料独特の吸収および反射率に依存する。たとえば、ある材料の表面が完全に反射すれば（すなわち、それが可視領域内の全ての放射線を反射すれば）、その材料は白色に見えるであろう。もしその材料が可視スペクトルの赤色領域の光線を反射する一方、他の全ての光の周波数を吸収すれば、その材料は赤色として知覚されるであろう。
【００２５】
以下の表１に示されるように、着色された生地および着色された疎水性表面に対し模擬月経液を添加すること（その目的は以下に詳細に記述される）の影響についての観察は、観察者の言葉で、以下の用語により記述される：見えない、わずかに見える、低いコントラストで見える、容易に見える、はっきり目立つ。これらの観察は、数量化の可能なΔＥ値に対応する。
【００２６】
この議論において提供されるカラー測定は、ＣＩＥ ＬＡ＊Ｂ（ＬＡＢ）カラーシステムを使用する。（ＬＡＢ）カラーシステムは、１９４２年にハンター（Hunter）により初めて記述され、色測定の標準的な方法であり、国際照明学会（ＣＩＥ）により管理されており、会員団体であるＵＳ ＮＩＳＴにより支援されている。ＬＡＢシステムは、それは標準的な観察者により知覚される視覚変化を数値化して定量化する。Ｄ６５標準光による照明を用いるＬＡＢシステムは、試料のカラーシステムと、模擬月経液を用いて挑戦された同じ試料のカラーシステムとの間の、反射率の差異を分光測定することにより使用された。
【００２７】
ＬＡＢシステムは、明るさまたは輝度に対する眼の感度、及び色変化に対して相関関係がある。Ｌ値は、暗い色から明るい色まで、および灰色から白色まで変動する色を観察した時の、明るさに対する目の感度を反映する。Ｌは、非反射性の黒色である表面については０として、また蛍光を発していない白色である表面については１００として定義される。蛍光発光の間では、光は、視覚によってより低感度で見られる波長から、より高感度で観察されるものへ移されると、Ｌは１００よりも大きく測定される可能性があり、その時は対象物はもとの色よりも明るい。変数ａ＊は、赤色領域の反射率に対する緑色領域の反射率の比を表しており、変数ｂ＊は、電磁スペクトルの黄色領域に対する青色領域の反射率の比に対しての感度を表している。変数Ｌ、ａ＊、およびｂ＊は、反射率スペクトルから算出される。
【００２８】
黒色には色がない。極端にいえば、それはＬ＝０および、ａ＊＝０、およびｂ＊＝０である。実際には、黒色の対象物は多少の表面反射率を有する。ここで定義すると、黒色は表面反射率の影響を含んでおり、黒色はＬ＜２５、ａ＊およびｂ＊についてはほぼゼロ（＜２）として定義される。ここで議論される例として、Ｌ＝１７であって、ほんのわずかに光沢がある黒色材料と、高度に光沢のある供給源としてＬ＝２３の材料が挙げられる。非常に光沢のない黒色は、より低いＬ値を有するであろう。
【００２９】
色は、一般的には、黒色を含む色空間のあらゆる値を含む。本出願の目的のためには、色の定義には、黒色は排除されることができるが、灰色は低い色度を有するため、白色（Ｌ＞８５）および灰色（２５＜Ｌ＜８５で、ａ＊およびｂ＊は小さい（１よりも小さい））は含まれる。色の概念は＞０の色度を含んでおり、このことは白色の標準と比較して、個々のスペクトル領域の相対的な反射率において不均衡となる。色の例としては、紫色、青色、水色、緑色、黄色、赤橙色、および茶色、栗色、および組合せ色を含む波長を組合せたもの、がある。飽和色は虹の色のような、高い値のａ＊またはｂ＊を有する。不飽和色はより低い色度を有し、低いａ＊およびｂ＊値により特徴づけられる。不飽和色のいくつかの例としては、水色、薄緑色、薄黄色、および桃色である（典型的にＬ＞５０を有する）。Ｌ＜５０の不飽和色も、たとえば灰−青色、灰−緑色、および灰赤色の、より低い色度、より低いａ＊およびまたはｂ＊を有することが可能である。一般的には、Ｌ＜３０を有する暗色は、飽和（ゼロに近くないａ＊およびまたはｂ＊）か、または不飽和である（ゼロに近いａ＊またはｂ＊であり、これにより濃い灰色となる）。
【００３０】
反射率スペクトルは、ＵＳ ＮＩＳＴ標準に対してトレース可能な色標準を用いて校正された、データ・カラー（Data Color）ＳＦ６００ＳＦ スペクトラフラッシュ（Spectraflash）色測定システムを用いて実験的に取得された。Ｌ＝０、ａ＊＝０、およびｂ＊＝０である、Ｅ＝０値を測定するべく、黒色のトラップが使用された。適正な装置較正を確認するべく、ＵＳ ＮＩＳＴのトレース可能な白色の反射率標準を頻繁に測定した。
【００３１】
本発明のために行なわれた実験においては、種々の表面についてのＬ、ａ＊、およびｂ＊の算定を可能となる、拡散反射率および鏡面反射率の双方を含んだ反射率の測定が行なわれた。。拡散反射率は、反射表面上に焦点を合わされた光が、一様な色に見えるように、多くの方向へ散乱される場合に生じ、鏡面反射率は、反射の角度が入射の角度に等しい場合に生じる。二つの異なる色の隣接する表面の間で、色および光度のコントラストが比較される場合、そのＬ、ａ＊、およびｂ＊値から、各々の表面の関数Ｅを器械により算定することが有用であり、すなわちＥ２＝Ｌ２＋ａ＊２＋ｂ＊２である。二つの隣接する表面についての二つのＥ値の差（ΔＥ）は、これら二つの表面の間の色差（コントラスト）の定量的な尺度として用いられ、ΔＥが低いほど、色差のコントラストおよび視知覚は低い。二つの隣接する表面のΔＥ値と、一般的な観察者のコントラストの知覚と間の相関関係は、「見えない」（ΔＥ＜３）から、「はっきり目立つ」（ΔＥ＝５０〜１００＋）にわたっており、表１に示されている。月経液が、白色の生理用パッドのような白色の表面に対して添加される場合、赤色のしみのＥ値を、個々に測定された周囲の白色表面のＥ値に対して比較すると、赤色のしみと周囲の白色の表面との間に、きわめて明らかなコントラストが存在し、高いΔＥ値を生じる結果となる。本特許の目的は、生理用パッド上の月経液の堆積により引き起こされるしみと、隣接する表面との間の、最小の色調、色度、および光度の変化をもたらすことができる方法および手段を発明し、低いΔＥ値によって判断されて、パッド上の月経液が気付かれないか、またはほとんど気付かれないようにすることである。これらのΔＥ値は、候補となる表面のＥ値を測定し、次いで人工的な月経液の添加によって誘発された後の表面のＥ値を測定することにより、器械的に測定された。
【００３２】
【表１】
2005525132.tif 000003
【００３３】
予備的な事項として、血液および月経液の赤色はヘモグロビンの赤色の結果生じるものであり、それは血液中では赤血球内に見られるが、月経液中では主として溶解された状態で存在しており、赤血球を含まないと信じられていることが理解されるべきである。先行技術の特許文献において既知となって使用されたいくつかの月経液類似物は、水を主成分とする種々の成分により約５０％に希釈された様々な種類の動物血液からなる。同様に、本発明のための定量的なカラーマスキングデータを得るために用いられた類似物は、赤血球を溶解しかつヘモグロビンを溶液中に放出するために、（非凝固性にするように処理された）脱凝固されたイヌの血液を、蒸留水を用いて１：１の割合に希釈することにより、そして使用に先立ち、この混合物を周囲の温度において少なくとも２時間静置することにより調製された。この材料は、以下人工月経液（ＡＭＦ）と呼ばれる。
【００３４】
先行技術において典型的に形成される女性生理用パッド１０は、任意のトップシート１２の上面を見ている図１に示されている。図１に示された先行技術の態様は、本質的に説明するものであって、制限するものではないことが認識されられるべきである。特に、本発明のカラーマスキング層は、この技術分野において周知の女性生理用パッドの基本的にいかなる形状に対しても使用されてよいことが認識されるべきである。
【００３５】
本発明によれば、生理用パッド内の体液の存在についての視覚による認知を減少させるために、生理用パッドにはカラーマスキング層が設けられてよい。しみについての視覚の認知を所望に軽減できるように、典型的なパッド構造の一つまたはそれより多い層は、着色されるか、または非白色にされてよいことが認識されるべきである。図２に示されるように、そのようなパッド構造の一つの態様は、カラーマスキング層１４だけではなく、典型的な生理用パッドのトップシートの双方として機能する、カラーマスキング層１４を取り入れている。着色されたトップシートの下には、吸収性コア１６が配置される。図２〜６に示されるように、不透過性のバックシート２６が吸収性コア１６の下に設けられてもよい。
【００３６】
もう一つの方法として、図３に示されるように、３層のパッド構造が取り入れられてよく、３層のパッド構造においては典型的に穿孔されたトップシート１２が、着色された下のカラーマスキング層１４の上に配置されてよく、カラーマスキング層１４が今度は吸収性コア１６の上に配置される。穿孔されたトップシートは、規則的または不規則的に距離を保たれた穴を有してよく、穴または開口は穴あけ器または他の手段により形成されるか、または織物または不織物のトップシートが作られる方式により形成されてよい。
【００３７】
図４に示されるように、４層のパッド構造が取り入れられてよく、それにおいては穿孔されたトップシート（好ましくは、快適さおよび乾燥状態を促進するべく、疎水性である）が、カラーマスキング層１４の役を務める着色された下の層の上に配置され、それはまた任意に保持層として働いてもよい。任意の拡散層１８は、吸収性コア１６とカラーの下層１４との間に配置される。
【００３８】
カラーマスキング層を取り入れているもう一つの別の態様は、図５に示されており、そこでは穴のあいたトップシート１２は、着色された拡散層１４、１８の上に配置され、拡散層１４、１８はカラーマスキング層として機能し、かつ吸収性コア層１６の上に配置される。
【００３９】
最後に、可能性のあるもう一つの、例証となる実施例が図６に示されており、これにおいてトップシートおよび拡散層は着色され、カラーマスキング層の役割を務め、吸収層１６の上に配置される。図２〜６に示された態様が、一つまたはそれより多いカラーマスキング層の具備された生理用パッドの、５つの実例にすぎないことが認識されるべきである。一つまたはそれより多いカラーマスキング層をもつ、任意の典型的かつ既知の先行技術の生理用パッドを提供することは、本発明の範囲内であることが認識されるべきである。カラーマスキング層は、独立した疎水性の着色層であってもよく、あるいは、カラーマスキング以外の付加的な機能を有する生理用パッドの層（すなわち、吸収性コア、トップシート、保持層、拡散層、および吸収性コア）が着色されてもよい。
【００４０】
表２および図１２に示されるように、種々のΔＥ値（すなわち、しみのない生地のＥ値としみのある生地のＥ値との差）、およびＬ値が、種々の実験的な生地について提供される。図１３において、実験結果によれば、相対的に高度の輝度（明るさ）をもち、かつ高いＬ値をもつ生地は、同様に相対的に高いΔＥ値に対応することを確証したことが理解される。さらに、表２の結果からわかるように、いくつかの色および生地組成物が、他よりも、しみの視覚認知を軽減するためにより良好であることは明らかである。少なくともあるレベルのカラーマスキングは、５０より小さいΔＥ値において典型的に起きているが、５０と７０の間のΔＥ値においても、若干のカラーマスキングは、事実上起こることが可能である。４０より小さいかまたは等しいΔＥ値が、カラーマスキングにおける明らかな増加を示すことが見出されている。表２のΔＥの結果からわかるように、種々の着色された布の使用は、白色の生地または組織と比較して、明らかに視覚認知を低減させる。このことは確かに、一つまたはそれより多い着色層の取り込みによって実現された進歩であるが、中には、生理用パッドの着色層を単にカラーマスキング層として使用することにより提供され得る以上の軽減をカラーマスキングに強く望む消費者もいてよいことが認識されるべきである。
【００４１】
図７ａ〜ｃおよび８において最もよく示されるように、親水性の（したがって濡れやすい）保持層の生地が具備された、未変更で市販の典型的な生理用パッドについて、予期される色のシミュレーションが、模擬月経液２８の適用の前後において、模式的に示されている。図７ａにおいては、模擬月経液がパッドに適用される前は、パッドの外観は白色である。赤色の血液または体液２８が保持層３０の親水性の生地と接触するようになるにつれ（図７ｂ）、生理用パッドはしみを発生させ、そのしみによって赤色であると知覚される。同様に、図７ｃおよび８においては、液体２８が吸収性コア１６へ引き下げられるにつれ、織物３０の中、および潜在的に吸収性コアの上に（保持層の織り方のきつさに依存して）、観察者が残留する液体を見ることにより、パッドは直ちに見えやすい赤色のしみを呈する。
【００４２】
一つまたはそれより多いカラーマスキング層をパッドの構造内に取り入れることにより、しみのついた生理用パッドについての視覚認知を最小化することは、本発明の目的の一つである。このことを説明するため、また図９ａ〜ｃおよび１０のカラーシミュレーションに示されるように、親水性（したがって濡れやすい）保持層の生地１４が白色以外の色で着色された場合、もとの生地の色と液体２８の赤色との間の視覚に訴えるコントラストが少なくなる。したがって、観察者にとって標準的な未改良の白色パッドにおけるしみのある領域とない領域の間のコントラストに比較して、しみのある領域とない領域の間にそれほど大きなコントラストはない。このしみの視覚認知の低減は望ましい。しみに対する視覚認知は明らかに低減されるが、シミュレートされた図では、しみはまだ、観察者によりいくぶん識別可能であることがわかる。したがって、先に述べたように、使用者の中には、白色ではないカラーマスキング層の生理用パッドへの取り込みにより得られるよりも、さらなるしみに対する視覚認知の低減を好む者がいる可能性がある。
【００４３】
【表２】
2005525132.tif 000004
【００４４】
【表３】
2005525132.tif 000005
【００４５】
親水性の（したがって濡れやすい）保持層の生地の色が、体液の赤色にさらに近づくにつれ、使用者により観察されるべきコントラストが一層少なくなることが認識されるべきである。この場合、着色された生地上の着色されたしみとのコントラストは、先の例の白色の生地上の着色されたしみとのコントラストのように大きくはない。それでもなお、少なくともいくらかのしみが見えており、親水性の着色された保持層の生地の使用のみによってなされるカラーマスキングと比較して、さらなるカラーマスキングが大いに好ましいことは明らかである。明らかに、もし親水性の保持層の生地が赤色かまたは実質的に暗いか、または黒色であるとすれば、しみはほどんどわからないであろう。しかしながら、ΔＥ値が約４０かまたはそれより低い場合、異なる色に着色された生地について目につくしみの程度は、一般使用者の一部の人に対して、許容されることが可能であったにすぎない。さらに、トップシートを使用していない時に比べてトップシートが使用された時にΔＥ値が減少することによって明らかにされたように、種々の着色された布の上に白色または着色されたトップシートを配置することは、カラーマスキングの増大を発生させることが示された。さらに、先に述べたように、また表３に示されるように、白色のトップシートに比べて、ΔＥ値のさらなる低下によって示されるように、橙色または青色のトップシートが用いられた場合に増大されたカラーマスキングが達成されることが示された。さらに、この中程度のカラーマスキングは市場では広く受け入れられないことが考えられ、それゆえ、許容されるレベルのカラーマスキングを提供するとともに、なお、魅力的な外観と、少なくとも未改造のパッドに劣らない機能を有し、かつ商業的にも許容される生理用パッドを提供するため、着色された保持層の生地の使用の他に、他のカラーマスキング法および材料が必要となる。
【００４６】
月経液ならびに他の体液のカラーマスキングを真に促進し、可能にするため、本発明の一つの態様は、保持層を有し、親水性の織物または不織物（布ともいう）からなる着色された（好ましくは暗く）基材の上に、小さく、疎水性で、着色された（白色を含める）表面を備えたものである。疎水性の材料は、その表面上に水が置かれた場合に高い接触角をもたらすものとして定義されることが可能であり、接触角が高いほどその材料の疎水性は大きい。一般に、ある表面は地表に対して水平から傾いているため、接触角が高いほど、一滴の水がこの表面を転げ落ちる傾向は大きい。したがって、このような疎水性が大きい材料は、そのような疎水性の表面の形成にますます適用されることが期待されよう。このような疎水性材料の表面はまた、水または水を主成分とする溶液に対して不透過性であろう。これ以後、液不透過性という用語は、水または水を主成分とする溶液に対して不透過性である材料を指すべく用いられる。
【００４７】
好ましくは、この疎水性の、液不透過性の着色された表面を有する層は、シルクスクリーン印刷、転写印刷、点刻印刷、コーティング加工、およびこのような表面を固定するための接着剤の使用といった、この技術において周知の適当なフィルム溶着または印刷加工手段により、この保持層の上に配置される。本文では着色された表面という句が使用されているが、疎水性材料の形状は、本発明から逸脱することがなければ、大きさ、スペーシング、色、模様、色の明るさ、反射率、および不透明度において変化してもよい。実質的に丸い着色された表面が記述されており、本発明の一つの好ましい態様として本文に示されている。本発明のもう一つの態様は、保持層を有し、疎水性の織物または不織物からなる、着色された（好ましくは暗く）基材の上に配置された、疎水性または液不透過性の材料からなる細い着色された（白色を含む）リボンを取り入れている。
【００４８】
複数の疎水性の円盤を取り入れている本発明のカラーマスキング層がどのように作用するのかをよりよく説明するべく、複数の疎水性表面２０を支持する支持布の層を示している図１１ａ〜ｄが参照される。図１１ａ〜ｃから分かるように、疎水性かつ液不透過性の表面２０は、好ましくは任意の適当な形状であり、下にある支持布２２から使用者を分離する。表面２０は好ましくは平らか、または斜角がつけられている（図１１ｂ）か、半球状か、円錐形（図１１ｃ）か、または表面からの液体の除去を促進する、基本的に任意の形状である。図１１ｄに示されるように、表面２０は別の支持布２２の代わりに、拡散層１８の上に直接配置されてもよい。図１４ａ〜ｃは、親水性の織物または不織物からなる暗色の基材（これも保持層の生地である）の上に支持され、複数の実質的に均一に間隔をあけて並べられた着色された疎水性表面２０を模式的にシミュレートしている。図１４ｂおよび１４ｃ、および１５に示されるように、体液２８は疎水性および液不透過性の表面２０の上には保持されず、好ましくは保持層２２の親水性の生地にはじき飛ばされることにより、疎水性表面２０の隙間に引き寄せられ、保持層２２から吸収性コア１６へ移される。
【００４９】
月経液またはそのしみの赤色が見えないか、またはほとんど見えないことの主な理由は、着色された疎水性表面からの高い反射光の強度が、着色された表面の間に露出された布の支持層のわずかな黒ずみを、視覚による検出から隠すことである。着色された表面上に蛍光性もしくは反射性の色素、または反射性の裏層を使用すれば、着色された表面から発散される光の強度が増強されることにより、カラーマスキングのプロセスがさらに促進されるとともに、暗色の支持布のわずかなしみに対する知覚より一層減らすこととなる。このように、疎水性の着色された円盤が暗色の支持布とともに使用される場合、本発明のカラーマスキング能は増大される。
【００５０】
人工月経液の適用の前と後とで、この表面が本質的に同じに見えるようにする作用原理は以下の通りである。：（１）液体は疎水性の、液不透過性の着色された表面から効果的にはじかれ、濡れやすい親水性の（濡れやすい）支持布内へはじき飛ばされる。（２）支持布の黒色は、わずかな色または陰の変化を受けるが、暗色の支持布上に配置された着色された表面から反射される高い光強度のため、ほとんど気付かれない。（３）これらの着色表面が、非常に薄い、反射性の白色またはメタリックな層で裏うちされてもよいことから、各々の着色された表面の所望の高い光強度により、暗色の支持布に対する視覚の曖昧化が促進されてよい。任意の色の着色表面において高い反射率を達成するための別の方法は、蛍光性の色素または染料を使用することか、または着色された表面の色素または染料に、高反射性の材料を混合することである。着色された表面領域に対するオープンスペース領域の分布区域は、効果的なカラーマスキングと、下層への効率のよい月経液の移動とを達成しつつ、１０％未満から９５％を越えるまでに及ぶことが可能である。
【００５１】
疎水性の着色されたリボンまたは着色された表面のための支持布は、好ましくは暗色であり、吸収された体液が目立たないようにする。同様に、良好なはじき飛ばしまたは支持布の濡れ特性もまた、非常に望ましい特徴である。高い湿潤性をもつ不透明の繊維は、月経液のカラーマスキングに使用される、着色されたリボンおよび着色された表面のための支持布として望ましいであろう。
【００５２】
本発明のカラーマスキング層はまた、着用者に相対的な残存吸収能を示すべく、インジケータ用のウィンドウ、「カバーされていない」、または「マスクされていない」領域が、パッド上の様々な位置に供給されてよい。ウィンドウは、月経液の存在を示すべく単に赤色に変わってよく、あるいはパッドに保持されている液体の量を示すべく試薬が用いられてもよい。別法として、パッドの中央からより離れた位置にあるこのようなウィンドウが、適当な指示色に着色された程度に基づいて、パッド中の液体の存在を示しかつパッドの残存能力を示すために、異なる色（赤色以外）に変わるように試薬が用いられてもよい。さらに、「ウィンドウ」は装飾的な模様、絵、ことわざ、またはロゴを含んでよく、それにより移動中の月経液が、模様または絵に対して特定の色の領域を与えるようにする。さらに、本文に記述されたカラーマスキングの原理に従って月経液のしみをより目立たなくするべく、着色された女性衛生パッドの表面を補足するため、模様、エンブレム、標章、絵、風景、標語、およびその他が、本発明のトップシートまたはカラーマスキング層の全体または一部に付加されるか、または印刷されてもよい。前文に列挙されたような視覚的な特徴は、パッドの使用者に対し、使用の前および後の双方において視覚の散乱を与えることにより、主として疎水性の着色された表面または着色されたリボンの使用により寄与されるカラーマスキング効果に貢献することが可能である。そのような付加的な特徴は、白色および黒色を含め、可視スペクトルの内で利用可能な任意の顔料を使用することにより供給されてよく、そのような顔料は、非反射性、反射性、および（または）蛍光性の色素を用いることにより発生されてよい。疎水性表面により、一以上の色または材料が提示されてよく、そのため模様は、前文に議論された種々の効果を奏するべく、前記の多数の表面を横切って設定されてもよい。
【００５３】
トップシートの主要な機能は、疎水性で濡れにくい表面を提供することであり、使用者の身体をパッドの保持層から分離し、かつ比較的ドライな感覚を維持することができる。従って、これらの疎水性表面が支持布と同一平面上にあるか、または支持布の上に上げられる場合には、この幾何学形状が皮膚をカラーマスキング支持層（これも保持層として機能してもよい）から分離するように機能するために、疎水性かつ液不透過性の表面構造もまたトップシートとして機能してもよい。これらの表面が疎水性の層の表面の上に上げられ、身体と支持布との間に大きい空間を提供する場合には、疎水性表面は最も効果的にトップシートとしての付加的な役割を務めることができることが期待できる。この場合、丸型か、または斜角をつけられた縁をもつことは、より多量の月経液のためだけでなく、着用者のより一層の快適さのために取り込むことのできる重要な構造上の特徴であろう。この特徴は、使用者に最適な乾燥状態を提供するために付加的なトップシート層が必要とされなくてよい点において、製造者に対し固有の経済的な利益を提供するであろう。
【００５４】
（疎水性表面のための高速流（ラピッドフロー）支持布）
前文に議論されたように、カラーマスキング手段のための本発明の一つの態様は、着色された疎水性の液不透過性表面の、親水性の支持布への付着を含む。この支持布もまた、着色された疎水性表面に対して放出された月経液、血液、または尿を、支持布の下に配置された吸収性コアへ移すのに役立つ。これらの表面の間に様々な空間をもち、カバーされる支持布の面積の割合が約１０パーセントから約９５パーセントまでの間の範囲に及ぶ、種々の大きさの疎水性表面の使用が、本文において記述されている。したがって、そのように記述された手段がこのカバー割合の効果を達成し、放出された月経液、血液、または尿を充分に速い透過速度で下にある吸収性コアへ移すためには、容易に濡らされ、かつ上記又は他の水を主成分とする液体に対して高い透過性を有する支持布を使用することが有利であろう。しかしながら、ナイロン、ポリエステル、アクリル、および他のポリマーといった経済的な支持布の候補は、比較的疎水性であり、濡れやすく、かつ低速から中程度の速度で水を移すことが知られている。綿などの親水性の生地は高い液体の受容能力を有するが、水がしっかりと保持されるため、高い透過速度を有しない。比較的疎水性の生地上の水のはじき飛ばしおよび透過速度を高めるため、アパレル産業において用いられる一つの方法は、繊維の疎水性コアに対して共有結合する親水性成分、または共有結合しない親水性の成分を用いて、これらの繊維をコートすることである。もう一つの方法は、有効な繊維の表面積を増大するべく、支持布の繊維を直径の非常に小さい繊維の束で構成することができ、このような繊維に沿った液体の移動速度を高めるようにすることができる。特定の製品を限定されないが、以下の生地はこの技術を用いかつ月経液模擬物に対して高い輸送能をもつことが測定されており、したがってそれらを、本文に記述された手段における使用に適するものとする：インテラ・テクノロジース・インク（Intera Technologies Inc.）によるＩｎｔｅｒａ(R)Ｉ−３０１およびＩ−３０３（ナイロン上のコーティング）、インテックス・コープ（Intex Corp.）によるｉｎｔｅＸ ＧＢ ２８２１、ＸｈａｌｅTM（ポリエステル上のコーティング）、バーリントン．レイフォード（Burlington Raeford）によるＮａｎｏ−ｄｒｙTMを用いたＳｙｎａｔｕｒａｌTMＦａｂｒｉｃｓ（ポリエステル上のコーティング）、およびモウガル（Mougul）によるポリプロピレン  スパンボンド不織布上の親水性コーティング。増強された液体輸送特性のためにデザインされた、改造された織模様を有する生地、または特殊加工されたデュポン（DuPont）によるＣｏｏｌＭａｘTMなどの繊維もまた、高流速支持布の良好な候補である。支持布の、水溶液へ向かう透過速度を増大するためのもう一つの方法は、そのような生地を、グールストン・テクノロジーズ（Goulston Technologies）によるＬｕｒｏｌ ＰＰ−９７２５などの親水性の界面活性剤でコートすることである。疎水性表面に対する付着のための候補支持布は、織物、編物、および不織物を含む。
【００５５】
カラーマスキング層が使用者に直接に接触するところでは、使用者に対して上方に伸びている液不透過性または疎水性の領域を有する生地が、その領域の高さが大きいほど、使用者の表面がカラーマスキング層の濡れた支持布から遠くなるため、都合よく着用者に快適さを提供することが見出された。この高さには限界があるが、カラーマスキング層上の疎水性材料の高さは、使用者に直接接している時の快適さを増大するように最適化されてよいことが理解されるであろう。さらにこの点に関しては、疎水性領域の形状は、滑らかな表面を提供するようにさらに最適化されてよく、また快適さを高めかつ吸収性物品内への液体の迅速な流れを促進するように、周囲の表面部分を曲げることができる。
【００５６】
（支持布上の疎水性表面の実験的なアレイの溶着）
種々の支持布上における種々の疎水性表面の効果を定量化するべく、ポリ塩化ビニル（ＰＶＣ）からなる、異なる色に着色された疎水性表面の実験的なアレイが、異なる色に着色された生地上に溶着され、まず、最も効果的なカラーマスキングを生じる結果となった、表面の色、支持布の色、表面の大きさ、および表面の距離からなる組合せを実験的に決定するために使用された。図１６示されるように（ノンスケール）、これらの表面２０は、スクリーン印刷により熱処理されたＰＶＣプラスチゾルから調製され、０．３ｍｍ、０．５ｍｍ、１．０ｍｍ、および２．０ｍｍの名目直径を有しており、最終的な熱処理工程の後、０．１ｍｍ、０．２ｍｍ、０．５ｍｍ、１．０ｍｍ、および２．０ｍｍの名目分離距離ｘ（最も近づいた距離）をもつ支持布上に、シルクスクリーニングにより溶着された。その結果、この方法により、布の支持層と本質的に同一平面上にあり、したがって先に述べたようなトップシートとしても機能できる疎水性表面を生じた。この試験の目的のため、および図１６に描かれた代表的な表面のアレイに示されるように、交互に幾列も並ぶ表面が実質的に一列に整列されるように、表面は交互に千鳥状に配置され得る。
【００５７】
ＰＶＣは比較的疎水性かつ液不透過性のポリマーであり、水をはじき、希釈されたイヌの血液に由来する人工月経液を効果的にはじくことが期待された。しかしながら、疎水性ポリマーの表面に用い得るいくつかのＰＶＣ色素は、おそらく充分に親水性であり、ヘモグロビンを主成分とする模擬的な月経液の赤色の部分的な保持を引き起こす可能性があることがわかった。この問題に対する一つのアプローチは、ＰＶＣプラスチゾル内に、高度にフッ素化されたポリマー（Ｃｙｔｏｎｉｘ ＦｌｕｏｒＰｅｌTM ＰＦＣ １６０２Ａなど）を種々の量で混合することにより、ＰＶＣ表面全体の疎水性を増大させることである。別の方法として、疎水性表面全体がフルオロポリマーか、または増大された疎水性をもつ他の材料から構成されてもよい。着色されたフルオロポリマー（Ｃｙｔｏｎｉｘ Ｑ３４８ ＰｅｒＦｌｕｏｒｏＣｏａｔTM）から全体が構成される疎水性表面が、支持布（シリーズαおよびβ）の上に配置され、人工月経液に由来する赤色の目視可能な保持が全く見出されず、また実験的なマトリックス中では測定された最低のΔＥ値の一つをもたらした。カラーマスキング層を通した人工月経液についての水溶液透過速度を有意に増大するためのもう一つの方法は、支持布上の疎水性表面からなるカラーマスキング層全体に、グールストン・テクノロジーズ（Gouiston Technologies）によるＬｕｒｏｌ ＰＰ−９７２５などの親水性の界面活性剤をスプレーすることであることもわかった。この方法は、カラーマスキング効果を減らすことなく、カラーマスキング層全体を通した液透過速度の有意な増加をもたらした（そこから調製された円盤についてはシリーズαおよびβについてのΔＥのデータを参照のこと）。
【００５８】
また、支持布上の疎水性表面についてのテストシステムは、クロマテック・カラー・システム（Chromatec Color System）を用いて効果的に生みだされており、クロマテック・カラー・システムは、マスクの陰にある着色層を光化学的に硬化し、生成された表面の模様を接着剤により支持布へ付着させることによって、所望の模様をマスクから転移させるものである。クロマテック・イメージング・システム（Chromatec Imaging System）の使用は、異なって着色された蛍光性色素の形成を可能にし、それは高度のカラーマスキングを生じる結果となった。また、着色された層の直下に白色の層を配置することが、カラーマスキング効果に寄与する色強度を有意に増大させることもわかった。クロマテック法は、支持布層の上部に配置された疎水性表面を製造するために使用され、これらの表面もまた斜角のついた縁を有していた。既に言及されたように、支持布の上部に配置された疎水性表面の使用は、ビルトイントップシートとして役立つようなその役割を増強することが可能であった。
【００５９】
カラーマスキング能を評価するために、カラーマスキングの可能性をもつ種々の市販の改良された生地を獲得し、評価した。一つのタイプの改良された生地は、支持布に付着された、疎水性表面が比較的近接した間隔で規則的に配列している。そのような二つの事例（Ｇｏｌｄ Ｌａｍｅ ８−８および８−１２）においては、この生地が直径の小さいポリエチレンテレフタレート繊維の束からなり、かつ表面は、高反射性の層の上に配置され、上部が着色されたポリウレタン層から構成されたサンドイッチ構造を有し、高反射性の層は、その下にある生地への熱付着に使用されると推定される熱可塑性のポリウレタンの上に配置されていた。もう一つのタイプの市販の改造された生地は、反射性で着色された細いリボンを有しており、それは平行な列をなして配置され、支持布に対し付着されていた。もう一つのタイプの生地は、多くの色でコートされたサイズの小さい円盤を有しており、円盤の系全体の上に重ねられた、干渉模様および（または）ホログラム模様を有していた。他には、モアレ（Moire’）模様、ホイル、並びに、蛍光性色素、染料、および層をなして配置された他の反射性材料などの、反射性表面が有用である。
【００６０】
一つのテストマトリックスが評価され、このテストマトリックスによれば、スクリーン印刷により支持布に付着された、ポリ塩化ビニルからなる疎水性の円盤系に対して、人工月経液が添加され、その反射行動が器械により測定された。各試料は、吸収性の紙の上に配置された拡散層の上に置かれ、人工月経液（０．５ｍＬ）が、直径１．７ｃｍの範囲にわたって平らに添加された。この所望の領域内に人工月経液の添加を集中するべく、疎水性の円盤系の上に、直径１．７ｃｍの穴を有する重いワッシャが配置かれた。このような疎水性円盤の系は種々の色を有しており、大きさの範囲をもち（直径０．３ｍｍ〜２．０ｍｍ）、異なるスペーシングを有していた。赤色の月経液が支持布に侵入した場合、最少の全体的な色および輝度、色変化が観察されるように、疎水性表面の色は、支持布の明度および色よりも、より明るい色および、より高い光度を有するように選ばれた。赤色の月経液模擬物が生地に吸収される場合、生地が暗いほど、観察される色および光度の変化は低くなることが予期された。明るい色と高い光度を有する疎水性表面は、より暗い色および低い光度をもつ隣接した支持布に対する目の知覚を抑制することができ、それゆえこの物品のヒトの知覚は、月経液の添加の前および後で、より明るい色の疎水性表面に対するものである。この効果については一つの例外があり、赤色の月経液が赤色の生地の範囲に添加された場合には、色および光度の変化は小さくなるだろう（カラーマスキングよりもむしろカラーマッチング）。支持布の輝度が増す（より暗くなくなる）につれ、視覚認知および増大されたΔＥ値によって測定されるように、カラーマスキングがより効果的でなくなることが予想された。このような原理は、黒色（非常に低い輝度をもつ）から白色（高い光度をもつ）にわたる支持布の上に、ある範囲に着色された疎水性表面が配置されることによりテストされた。
【００６１】
高度の疎水性表面の反射率または輝度（もしくは高いＬ値）について「観察」された利点は、以下のかなりの割合の空き領域をもつ薄層系によって立証されるように、それが暗い支持布の色を観察者にほとんどわからないようにすることである：ポリエステル上の金色の表面（ゴールド・ラメ’８−８，５４％が空き領域，およびシリーズＣ，０．５ｍｍ ｘ ０．５ｍｍ）；ブロンズ色の生地の上の白色の表面（シリーズＰ，０．５ｍｍ ｘ ０．５ｍｍ、特に５０％の空き領域をもつ；広範囲の緑色のホイル表面サイズ、および間隔（シリーズＸ）は、完全に覆われて見える多くの表面とともに、人工月経液を保持しない点において優れた性能をもつ。）
【００６２】
いくつかのテスト結果および生じたデータが、表４に示されている。特に、表４は、客観的、および視覚的観察の双方を要約しており、この試験の結果のいくつかは、すべて黒色の支持布上の、疎水性の金色のホイル、疎水性の白色表面、疎水性の緑色のホイル表面、および疎水性の緑色のフルオロポリマー表面を含む。さらに、表４は青色の支持布の上の種々の大きさの疎水性表面について、ならびにブロンズ色の支持布上のクロマテックグリーン（Chromatec Green）について、結果を示している。主観的な評価は、約１フィートまたはそれより多い距離での、肉眼による観察である。
【００６３】
【表４】
2005525132.tif 000006
【００６４】
【表５】
2005525132.tif 000007
【００６５】
【表６】
2005525132.tif 000008
【００６６】
この系に対する人工月経液は、カラーマスキング層を通り、数秒以内に迅速に、下の表面へ透過されることが全般的に観察された。しかしながら、各々約７５％の閉鎖された領域、および８０％の閉鎖された領域を有する０．５ｍｍおよび１．０ｍｍの円盤は、液透過性の浸水性の生地表面の低い面積パーセントのため、比較的遅い透過速度を有していた。しかしながら、このような場合において、カラーマスキング層（支持布へ付着された、着色された疎水性円盤）全体に、Ｌｕｒｏｌ ＰＰ−９７２５などの親水性の界面活性剤をスプレイすることにより、これらの遅い透過速度は著しく増大され得ることが観察された。理論に拘束されないが、親水性の界面活性剤は疎水性の表面から効果的にはじかれて支持布へ移動し、そこで支持布の液体移動特性が増大されると考えられる。透過におけるこの増大は、αおよびβシリーズにおけるような、いくつかの系において認められ、測定されている（緑色のＣｙｔｏｎｉｘ Ｑ３４８   ＰｅｒＦｌｕｏｒｏＣｏａｔTM、βシリーズは、スクリーン印刷の後、最後に加熱加圧されたが、αシリーズはされなかった）。αシリーズにおいては、約８０％の閉鎖された領域をもつ１．０ｍｍの円盤は、人工月経液を約６０秒間保持し、その後ＡＭＦは迅速にカラーマスキング層を通って移動した。しかしながら、この親水性の界面活性剤を用いた処理の後は、ＡＭＦは直ちにカラーマスキング層を透過することが観察された。このタイプの挙動はまた、βシリーズでも繰り返されたが、αシリーズ用に仕分けされた同じ面積を有する円盤は、ＡＭＦを約４０秒間保持したが、界面活性剤によってこれらが処理された後は、ＡＭＦは直ちにカラーマスキング層を透過することが観察された。この効果は、支持布（フォクシー・スパンデックス（Foxy Spandex））の上に、近接して間隔を置いて並べられた円盤を有する市販の材料において認められ、そのことにより、その表面上に置かれたＡＭＦがカラーマスキング層へ透過される前に６０秒間の遅れがあったが、それに対し、親水性の界面活性剤による処理の後は、ＡＭＦはほぼ直ちに透過した。
【００６７】
フルオロポリマーおよびＰＶＣからなる混合物を用いることの有益な効果もまた、疎水性円盤が、ＰＶＣ中の０．３パーセントのＦｌｕｏｒＰｅｌTMＣｙｔｏｎｉｘから構成され、かつ黄色の色素を含んでおり（暗青色の生地上のシリーズＴ）、円盤が１．０ｍmの直径と、約０．５ｍｍの間隔とを有する時、この系が、ＦｌｕｏｒＰｅｌTMＣｙｔｏｎｅｉｘ１６０２Ａのない同様の系（暗青色の生地上のシリーズＦ）に比べられた場合に認められた。 ＦｌｕｏｒＰｅｌTMＣｙｔｏｎｉｘ１６０２Ａを含んでいる円盤が、赤色の点のない「非常に明るい」しみを生じたのに対し、ＦｌｕｏｒＰｅｌTMＣｙｔｏｎｉｘ１６０２Ａを含んでいない円盤は、円盤の真ん中に存在するＡＭＦから由来する小さい赤色の点のある「明るい」しみをもつ残留物を生じた。
【００６８】
表４の測定値ΔＥは、検査された領域内について、疎水性円盤および支持布表面の一セットについての色の反射率の変化を表している。図１８〜２１を参照すると、暗い支持布が使用された場合、許容されるΔＥ値は一般に、テストされたすべての色、円盤の大きさ、および適用範囲のパーセント領域について達成されたことがわかる。図１８、１９、２０、および２１は、各々０．３ｍｍ、０．５ｍｍ、１．０ｍｍ、および２．０ｍｍの半径を有する、本質的に円形の疎水性表面についての試験結果を要約し、収集したものである。カラーマスキングは、白色の支持布上の白色の疎水性表面でさえ達成されており、またカラーマスキングは、しみやがつきやすい白色の支持布の大部分を閉塞するため、面積範囲に比例することが見出された。
【００６９】
また、任意の色および円盤の大きさについて、しみに対するΔＥおよび視覚認知が一般に、色の組合せにかかわらず、面積範囲が減るにつれて増加することがわかったが、この効果は面積範囲に対して直接的に比例しなかった。許容されるΔＥおよび視覚認知は、直径０．３ｍｍから直径２．０ｍｍまでの範囲の円盤サイズについて認められたが、ある事例においては、円盤サイズが増大するにつれて、ますます量の増える残余の疑似物が観察された。しかしながら、ポリマーフルオロカーボンなどの非常に疎水性の材料を使用すれば、ほとんど又は全く残余疑似物を生じないことが観察された。したがって、より大きい円盤サイズについての好ましい態様は、フルオロカーボンポリマーなどの高度に疎水性の材料の使用である。
【００７０】
いくつかの材料は、少量の残余が円盤の表面上に残されたことから、他よりもいくぶんカラーマスキングが弱かった。したがって、このようなデータは、その中にこのような妨害も含んでいたことから、カラー効果用に最適化されていない。これらの材料の液体をはじく特性がこのような残余をはじくように改良されたなら、それらは図１７Ｂに示されたように、あたかもそれらが残余を拭きとられていたかのように機能するであろう。
【００７１】
また、色の測定は、一つの層を透して容易に見ることができる程度の軽量の黒色の生地の上に配置され、約０．５ｍｍ直径の緑色、紫色、および赤色の、約０．８ｍｍの間隔距離を有する、疎水性の着色されたホイル円盤を用いたカラーマスキング層を用いて行なわれた。このような層の後ろにあるＡＭＦの赤色を見ることを排除するべく、このような系からなる３つの層が積み重ねられ、ついで測定がおこなわれた。以下のΔＥ値が、緑色、紫色、および赤色の円盤系から得られた：各々１．９、４．１、および２．６であった。これらの結果は、効果的なカラーマスキングを達成するために、多数の着色されたマスキング層が積み重ねされることが可能であることを示している。
【００７２】
上記の「黒の上に白シリーズ」の事例に特に注目すれば、間隔および円盤の大きさについての詳細は以下に示される。
【００７３】
【表７】
2005525132.tif 000009
【００７４】
ここでわかるように、効果的なカラーマスキングは、様々な円盤サイズおよび間隔にわたって、円盤と支持布との間に大きな光度のコントラストがある場合に達成された。
【００７５】
（ルミネッセンス関数の説明）
ΔＥ対Ｌ系−Ｌ布／Ｌ系（光度関数）のプロット（図１７Ａ）は、疎水性表面と支持布の色を選ぶための予想手段を提供する。以下のような関係が固定している場合には、ΔＥは小さい：一般に、系の吸収性物品のＬ値が３５より大きい場合、そして、関係（Ｌ系−Ｌ布）／Ｌ系＞０．２が、系と支持布の材料との間に存在する場合、色の組み合わせに関わらず、ΔＥの変化＜〜１２が観察され、図１５に示されるように、有効なカラーマスキング効果があることが見出されている。
【００７６】
さらに、系の吸収性物品のＬ値が、３５より小さい場合、また、関係（Ｌ系−Ｌ布）／Ｌ系＞−０．１が、系と支持布の材料との間に存在する場合、ΔＥの変化＜〜１２が観察され、図１５に示されるように、暗色および黒色の色については有効なカラーマスキング効果がある。負の数は、支持布よりもわずかに明るい色が吸収性物品の系において使用される可能性を考慮しており、＜〜１０ないし１２のΔＥは、もし材料が充分に暗い場合に結果として生じることが可能である。典型的には、支持布および疎水性表面の色が同じである場合、関係（Ｌ系−Ｌ布／Ｌ系）は０に等しくなるであろう。
【００７７】
支持布が必ずしも疎水性表面を結びつける必要のない場合、上記の関係において、その表面間の空間の光度、Ｌ空間が、項Ｌ布に対して置換されてよい。さらに、支持布または布という用語は、本文では交換可能に使用され、カラーマスキング層におけるその役割において有用であると議論された種々の材料を指す。同様に、Ｌ布という用語は説明のために用いたものであり、カラーマスキングにおいて使用される材料のタイプに関して制限するものではない。
【００７８】
基本的な等式  ΔＥ２＝ΔＬ２＋Δａ２＋Δｂ２は、ΔＥが輝度、ならびに色度の値ａおよびｂの関数であることを示している。図５におけるルミネッセンス関数のプロットは、ΔＥをＬの関数として示すとともに、この適用においてはΔＥにおける変化のほとんどが、色度の変化よりもむしろ光度に起因していることが示され得るため、ａおよびｂにおける変化は無視している。系Ｌの光度と支持布の光度との間の差異が、ΔＥに関係づけられることが示される。次の等式は概念的であり、正確ではない：Ｌ布＝αＬ´＋（α−１）Ｌ布、（式中、Ｌ´は疎水性円盤の光度であり、αは支持布（布）上の疎水性円盤についての分数での面積範囲である。）支持布の光度に比例して疎水性円盤の光度を増加すると、光度の関数を右（より高い値）へ動かすことになることがわかるとともに、しみが徐々に観察されなくなる場合、データではΔＥは至適に低い値まで素早く低下することを示している。
また、（白色、黄色、緑色、その他のような支持布の色を用いることにより）支持布の光度を疎水性円盤に比例して増加すると、この関数を左（より低いかまたは負の値）へ動かすことになるとともに、Ｌ＞３５については、ΔＥは非至適領域内へ増大され、そこではしみは容易に可視化されることもわかる。また、同じＬ´およびＬ布の値を維持しつつ、疎水性円盤の表面積のパーセント（α）を増やすことは、この関数を右または左のいずれにも動かすようにすることができる。Ｌ´がＬ布より大きい場合には、αが増大するにつれ、望ましいことに関数は右に動くことになる。逆に、Ｌ布がＬ´よりも大きい時（鮮やかな、明るい色の支持布が使用される場合のように）、増大するαは、望ましくないことに関数を左へ動かすことになるとともに、ΔＥが大きくなり、しみはさらに目立つようになる。このような関係はすべて、全般的に疎水性表面および支持布の色にかかわらず存在する。
【００７９】
以下のような関係が固定している場合には、ΔＥは小さい：一般に、吸収性物品のＬ値が系として３５より大きい場合、また関係（Ｌ系−Ｌ布）／Ｌ系＞０．２が、系と支持布の材料との間に存在する場合、ΔＥの変化＜〜１２が観察され、図１５に示されるように、色の組合せにかかわらず、有効なカラーマスキング効果があることが見出されている。
【００８０】
さらに、吸収性物品のＬ値が、系として３５より小さい場合、また、関係（Ｌ系−Ｌ布）／Ｌ系＞−０．１が、系と支持布の材料との間に存在する場合、ΔＥの変化＜〜１２が観察され、図１５に示されるように、暗色および黒色の色については有効なカラーマスキングがある。負の数は、支持布よりもわずかに明るい色が吸収性物品の系において使用される可能性を考慮しており、なお、＜〜１０ないし１２のΔＥは、もし材料が充分に暗い場合に結果として生じることが可能である。典型的には、支持布および疎水性表面の色が同じである場合、関係、（Ｌ系−Ｌ布）／Ｌ系は０に等しくなるであろう。
【００８１】
支持布が必ずしも疎水性表面を結びつける必要のない場合、上記の関係において、その表面間の空間の光度、Ｌ空間が、項Ｌ布に対して置換されてよい。
【００８２】
図１７Ａのグラフは、系の光度が布の光度よりも大きい場合、ΔＥが速やかに、１２より小さい値をもつ望ましい範囲内にもたらされることを明確に示している。事実、このグラフは、広い範囲の疎水性表面および支持布の色についても、系の光度が布の光度よりも約２０パーセント大きい（Ｌ系−Ｌ布／Ｌ系が約０．２またはそれより大きい）場合には、ΔＥがこの範囲内に落ちることを示している。黒色または暗色である支持布についてのΔＥ値は、光度関数が増加するにつれ、より低い値へ素早く動くことが観察された。疎水性表面の光度が増加し、支持布の光度が減少すると、光度関数は約０．２より大きくなり、疎水性表面及び支持布の色に関わらず、月経液の知覚を減少させることとなる。疎水性表面の光度は、これらの表面が、高い固有光度を有する色素、蛍光性色素、反射粉末、またはグリッターを含む場合、またはこれらの表面が、反射性または白色の表面で構成されるアンダーコーティングを有する場合に、達成されることが可能である。支持布は、好ましくは相対的に低い光度を有する。また、疎水性表面の光度が支持布の光度より大きい場合には、疎水性表面の領域の割合を増大させると、しみのマスキングを増進することができる。
【００８３】
表５に示されるように、着色されたトップシートも、本発明の疎水性表面の態様のカラーマスキング能を、さらに改良することができる。特に、一つの実例においては、橙色のトップシートにつてのテスト結果は、顕著にカラーマスキングの改良が増大される結果となった。トップシートの光度は現行の研究において使用されたものよりも、さらに高い値へ増大されているため、カラーマスキングに対するトップシートによる貢献は、増大することが予期される。
【００８４】
【表８】
2005525132.tif 000010
【００８５】
さらに、トップシート上の、模様または迷彩模様などの印刷された模様は、カラーマスキング層の性能を増大させるためにさらに役立つことが可能である。以下の表６のデータは、複数のカラーパターンを有する三つの市販の系に対するＡＭＦの添加の影響を記述している。試料の一つは迷彩模様の生地であり、緑色、茶色、黒色、および黄褐色の不規則な斑点から構成されており、他の二つの試料は、種々のカラー模様をつけた、疎水性の着色された円盤からなる。これらの試料の一つ（ティンカーベル（Tinkerbell））は多数の色を有しており、同じ色が隣接する円盤をカバーしているのに対し、他の円盤系は、種々の干渉模様の上に重ねられたホログラム模様を有する。以下の表に見られるように、観察者はＡＭＦの適用の後、わずかにしみを認めることができるか、または認めることができない。各々の材料について共通した特徴は、それらが多くの隣接した色を有しており、それがＡＭＦの適用の前後で、目を混乱させるのに役立つ、ということである。これらの観察は、各々の試料の多くの場所にわたって行なわれた複数の反射率測定により支持されており、結果として比較的小さいΔＥ値をもたらし、それはその標準偏差よりも小さかった。したがって、目もまた多数の局部的な視覚効果が与えられるため、しみは可視的にはごくわずかに検出されるか、または検出されない。
【００８６】
【表９】
2005525132.tif 000011
【００８７】
規則的に間隔をおいて並べられた着色された疎水性円盤からなる種々のカラーマスキング層の上に、トップシートが配置された場合、様々なモアレ模様が発生されたが、それはあざやかな色をポジティブに修飾するのに役立ち、そのことが、カラーマスキング効果が働いて、使用の前後で、さらに心地よい、視覚に訴える外観をもたらすのを助ける。
【００８８】
さらに、本発明によれば、カラーマスキング層が、二つまたはそれより多いカラーマスキング層として形成されてもよく、そのような層が、広く間隔をおいてもしくはより近接した間隔で並べられた疎水性もしくは液不透過性の領域を有する、より多くのガーゼ様の支持布から形成されてよい。二つまたはそれより多い層の存在は、より多くの自由な材料が便利に使用されることを許容し、また吸収性物品の残余部分が使用者に見えるのを妨げるように適用されうる。
【００８９】
本発明の別の態様においては、カラーマスキング層は、透明または半透明の開口された支持体の上に配置され、複数の不透明な領域を有する第一のカラーマスキング材料であって、好ましくは第一のマスキング材料の面積の５０％以上をカバーしている複数の不透明な領域を有する第一のカラーマスキング材料；および前記開口された支持体の下にある、カラーマスキング生地層を含んでなる第二のマスキング材料とを含んでよい。この態様においては、第二のマスキング材料のＬ値は、透明または半透明の開口された支持体を透して見えるように、第一のカラーマスキング材料のＬ値より小さいことが好ましい。第二のマスキング材料は、さらに、本発明の液透過性空間により分離された疎水性領域または液不透過性領域を含んでもよい。本発明のまたさらなる態様においては、カラーマスキング層はスリーブ構造中に設けられてよく、この場合カラーマスキング層は少なくとも一つの表面上に設けられる。スリーブは使い捨てでも洗浄可能なものでもよく、吸収パッドのような吸収性物品の残りの部分は、スリーブの内側に配置されてよい。この吸収性物品の残りの部分は、同様に、再使用可能でも使い捨てでもよい。スリーブは、細くなっている末端からの充填用に、または長手方向のスリットにより形成され、いずれの場合にも、好ましくは、挿入された要素の保持を補助するために、開口部に重なるためのフラップを有するように作成される。この態様においては、使い捨てまたは再使用可能なトップシートを設けてもよい。
【００９０】
本発明のさらなる観点よれば、カラーマスキング層の除去可能性か、またはトップシートの除去可能性（前記手段において使用された場合）を提供する。このことは、種々の製品の形状を簡便にし、トップシートまたはマスキング層は、有利なことに、処分されるか、保持されるか、または再使用されるか、吸収性物品の他の部分から分離可能であってよい。これらの層は、任意に、接着剤か、ホックと通し輪、ファスナー、プレスフィット、およびその他の除去可能な方法で付着されてよい。本発明は、女性生理用パッド、タンポン、パンティーライナー、創傷被覆材、および包帯などの、身体用の衛生および保健製品への適用において、特に有用である。
【図面の簡単な説明】
【００９１】
【図１】本発明の使用に適した、典型的な好ましい先行技術の生理用パッドの平面図である。
【図２】本発明のカラーマスキング層を取り入れた生理用パッドの、第１の態様の側断面図である。
【図３】本発明のカラーマスキング層を取り入れた生理用パッドの、第２の態様の側断面図である。
【図４】本発明のカラーマスキング層を取り入れた生理用パッドの、第３の態様の側断面図である。
【図５】本発明のカラーマスキング層を取り入れた生理用パッドの、第４の態様の側断面図である。
【図６】本発明のカラーマスキング層を取り入れた生理用パッドの、第５の態様の側断面図である。
【図７Ａ】典型的な白色の先行技術の生理用パッドに入って接触し、保持されている体液を示した連続する側断面の模式図である。
【図７Ｂ】典型的な白色の先行技術の生理用パッドに入って接触し、保持されている体液を示した連続する側断面の模式図である。
【図７Ｃ】典型的な白色の先行技術の生理用パッドに入って接触し、保持されている体液を示した連続する側断面の模式図である。
【図８】図７Ｃに示された、保持された体液のある生理用パッドの平面の模式図である。
【図９Ａ】着色された生理用パッドに入って接触し、保持されている体液を示している、連続的な側断面の模式図である。
【図９Ｂ】着色された生理用パッドに入って接触し、保持されている体液を示している、連続的な側断面の模式図である。
【図９Ｃ】着色された生理用パッドに入って接触し、保持されている体液を示している、連続的な側断面の模式図である。
【図１０】図９Ｃに示された、保持された体液をもつ生理用パッドの平面の模式図である。
【図１１Ａ】支持布の層の上に配置された、疎水性表面をもつカラーマスキング層をさらに取り入れている、生理用パッドの別の態様の側断面図である。
【図１１Ｂ】支持布の層の上に配置された、疎水性表面をもつカラーマスキング層をさらに取り入れている、生理用パッドの別の態様の側断面図である。
【図１１Ｃ】支持布の層の上に配置された、疎水性表面をもつカラーマスキング層をさらに取り入れている、生理用パッドの別の態様の側断面図である。
【図１１Ｄ】カラーマスキング疎水性表面の層を、拡散層の上に直接取り入れている、生理用パッドの別の態様についての側断面図である。
【図１２】多数の親水性表面についてのΔＥ値を示している棒グラフである。
【図１３】多くの親水性表面について、Ｌ値とΔＥ値との関係を示しているグラフである。
【図１４Ａ】カラーマスキング表面の層を取り入れている、本発明のもう一つの態様の生理用パッドに、入って接触し、保持されている体液を示している、連続的な側断面の模式図である。
【図１４Ｂ】カラーマスキング表面の層を取り入れている、本発明のもう一つの態様の生理用パッドに、入って接触し、保持されている体液を示している、連続的な側断面の模式図である。
【図１４Ｃ】カラーマスキング表面の層を取り入れている、本発明のもう一つの態様の生理用パッドに、入って接触し、保持されている体液を示している、連続的な側断面の模式図である。
【図１５】疎水性のカラーマスキング表面をもち、図１４Ｃに示された液体が保持された生理用パッドを模式的に示した平面図である。
【図１６】本発明の一つの態様についての、一つの好ましいスペーシング配置と、カラーマスキング疎水性表面層の大きさとを模式的に示した平面図である。
【図１７Ａ】ΔＥとＬ系−Ｌ布／Ｌ系の間の関係を描いているグラフである。
【図１７Ｂ】疎水性表面の上に残存する液体がある（実際）およびない（理想）試料似ついて、観察されたΔＥ値を描いているグラフである。
【図１８】すべて、０．３ｍｍ直径の疎水性表面を取り入れている、異なる色のマスキング層試料について観察されたΔＥ値を示している棒グラフである。
【図１９】すべて、０．５ｍｍ直径の疎水性表面を取り入れている、異なる色のマスキング層試料について観察されたΔＥ値を示している棒グラフである。
【図２０】すべて、１．０ｍｍ直径の疎水性表面を取り入れている、異なる色のマスキング層試料について観察されたΔＥ値を示している棒グラフである。
【図２１】すべて、２．０ｍｍ直径の疎水性表面を取り入れている、異なる色のマスキング層試料について観察されたΔＥ値を示している棒グラフである。
【図１】
2005525132.tif 000015
【図２】
2005525132.tif 000016
【図３】
2005525132.tif 000017
【図４】
2005525132.tif 000018
【図５】
2005525132.tif 000019
【図６】
2005525132.tif 000020
【図７Ａ】
2005525132.tif 000021
【図７Ｂ】
2005525132.tif 000022
【図７Ｃ】
2005525132.tif 000023
【図８】
2005525132.tif 000024
【図９Ａ】
2005525132.tif 000025
【図９Ｂ】
2005525132.tif 000026
【図９Ｃ】
2005525132.tif 000027
【図１０】
2005525132.tif 000028
【図１１Ａ】
2005525132.tif 000029
【図１１Ｂ】
2005525132.tif 000030
【図１１Ｃ】
2005525132.tif 000031
【図１１Ｄ】
2005525132.tif 000032
【図１２】
2005525132.tif 000033
【図１３】
2005525132.tif 000034
【図１４Ａ】
2005525132.tif 000035
【図１４Ｂ】
2005525132.tif 000036
【図１４Ｃ】
2005525132.tif 000037
【図１５】
2005525132.tif 000038
【図１６】
2005525132.tif 000039
【図１７Ａ】
2005525132.tif 000040
【図１７Ｂ】
2005525132.tif 000041
【図１８】
2005525132.tif 000042
【図１９】
2005525132.tif 000043
【図２０】
2005525132.tif 000044
【図２１】
2005525132.tif 000045
【手続補正書】
【提出日】平成16年4月9日(2004.4.9)
【手続補正１】
【補正対象書類名】特許請求の範囲
【補正対象項目名】請求項３５
【補正方法】変更
【補正の内容】
【請求項３５】
前記コントラスト（ΔＥ）が２０未満である、請求項３４に記載の物品。
【手続補正２】
【補正対象書類名】明細書
【補正対象項目名】００２６
【補正方法】変更
【補正の内容】
【００２６】
この議論において提供されるカラー測定は、ＣＩＥ ＬＡ＊Ｂ（ＬＡＢ）カラーシステムを使用する。本明細書においては、文献でよく用いられる“Ｌ＊”ではなく、便宜上略語“Ｌ”を用いる。ＬＡＢカラーシステムは、１９４２年にハンター（Hunter）により初めて記述され、色測定の標準的な方法であり、国際照明学会（ＣＩＥ）により管理されており、会員団体であるＵＳ ＮＩＳＴにより支援されている。ＬＡＢシステムは、それは標準的な観察者により知覚される視覚変化を数値化して定量化する。Ｄ６５標準光による照明を用いるＬＡＢシステムは、試料のカラーシステムと、模擬月経液を用いて挑戦された同じ試料のカラーシステムとの間の、反射率の差異を分光測定することにより使用された。
【手続補正３】
【補正対象書類名】明細書
【補正対象項目名】００２７
【補正方法】変更
【補正の内容】
【００２７】
ＬＡＢシステムは、明るさまたは輝度に対する眼の感度、及び色変化に対して相関関係がある。Ｌ値（明度又は輝度に関係する）は、暗い色から明るい色まで、および灰色から白色まで変動する色を観察した時の、明るさに対する目の感度を反映する。Ｌは、非反射性の黒色である表面については０として、また蛍光を発していない白色である表面については１００として定義される。蛍光発光の間では、光は、視覚によってより低感度で見られる波長から、より高感度で観察されるものへ移されると、Ｌは１００よりも大きく測定される可能性があり、その時は対象物はもとの色よりも明るい。変数ａ＊は、赤色領域の反射率に対する緑色領域の反射率の比を表しており、変数ｂ＊は、電磁スペクトルの黄色領域に対する青色領域の反射率の比に対しての感度を表している。変数Ｌ、ａ＊、およびｂ＊は、反射率スペクトルから算出される。
【手続補正４】
【補正対象書類名】明細書
【補正対象項目名】００３８
【補正方法】変更
【補正の内容】
【００３８】
カラーマスキング層を取り入れているもう一つの別の態様は、図５に示されており、そこでは穴のあいたトップシート１２は、カラーマスキング層を組み合わせた拡散層１４、１８の上に配置され、拡散層１４、１８はカラーマスキング層として機能し、かつ吸収性コア層１６の上に配置される。
【手続補正５】
【補正対象書類名】明細書
【補正対象項目名】００４２
【補正方法】変更
【補正の内容】
【００４２】
一つまたはそれより多いカラーマスキング層をパッドの構造内に取り入れることにより、しみのついた生理用パッドについての視覚認知を最小化することは、本発明の目的の一つである。このことを説明するため、また図９ａ〜ｃおよび１０のカラーシミュレーションに示されるように、親水性（したがって濡れやすい）保持層の生地１４が白色以外の色で着色された場合、もとの生地の色と液体２８の赤色との間の視覚に訴えるコントラストが少なくなる。したがって、観察者にとって標準的な未改良の白色パッドにおけるしみのある領域とない領域の間のコントラストに比較して、しみのある領域とない領域の間にそれほど大きなコントラストはない。このしみの視覚認知の低減は望ましい。しみに対する視覚認知は明らかに低減されるが、シミュレートされた図及び図１２と表２において示されたデータからわかるように、しみはまだ、観察者によりいくぶん識別可能であることがわかる。したがって、先に述べたように、使用者の中には、白色ではないカラーマスキング層の生理用パッドへの取り込みにより得られるよりも、さらなるしみに対する視覚認知の低減を好む者がいる可能性がある。
【手続補正６】
【補正対象書類名】明細書
【補正対象項目名】００４４
【補正方法】変更
【補正の内容】
【００４４】
【表３】
2005525132.tif 000046
【手続補正７】
【補正対象書類名】明細書
【補正対象項目名】００５０
【補正方法】変更
【補正の内容】
【００５０】
人工月経液の適用の前と後とで、この表面が本質的に同じに見えるようにする作用原理は以下の通りである。：（１）液体は疎水性の、液不透過性の着色された表面から効果的にはじかれ、濡れやすい親水性の（濡れやすい）支持布内へはじき飛ばされる。（２）支持布の暗い色は、わずかな色または陰の変化を受けるが、暗色の支持布上に配置された着色された表面から反射される高い光強度のため、ほとんど気付かれない。（３）これらの着色表面が、非常に薄い、反射性の白色またはメタリックな層で裏うちされてもよいことから、各々の着色された表面の所望の高い光強度により、暗色の支持布に対する視覚の曖昧化が促進されてよい。任意の色の着色表面において高い反射率を達成するための別の方法は、蛍光性の色素または染料を使用することか、または着色された表面の色素または染料に、高度に反射性の材料を混合することである。着色された表面領域に対するオープンスペース領域の分布区域は、効果的なカラーマスキングと、下層への効率のよい月経液の移動とを達成しつつ、１０％未満から９５％を越えるまでに及ぶことが可能である。
【手続補正８】
【補正対象書類名】明細書
【補正対象項目名】００６０
【補正方法】変更
【補正の内容】
【００６０】
一つのテストマトリックスが評価され、このテストマトリックスによれば、スクリーン印刷により支持布に付着された、ポリ塩化ビニルからなる疎水性の円盤系に対して、人工月経液が添加され、その反射行動が器械により測定された。各試料は、吸収性の紙の上に配置された拡散層の上に置かれ、人工月経液（０．５ｍＬ）が、直径１．７ｃｍの範囲にわたって平らに添加された。この所望の領域内に人工月経液の添加を集中するべく、疎水性の円盤系の上に、直径１．７ｃｍの穴を有する重いワッシャが配置かれた。このような疎水性円盤の系は種々の色を有しており、大きさの範囲をもち（直径０．３ｍｍ〜２．０ｍｍ）、異なるスペーシングを有していた。赤色の月経液が支持布に侵入した場合、最少の全体的な色および輝度変化が観察されるように、疎水性表面の色は、支持布の明度および色よりも、より明るい色および、より高い光度を有するように選ばれた。赤色の月経液模擬物が生地に吸収される場合、生地が暗いほど、観察される色および光度の変化は低くなることが予期された。明るい色と高い光度を有する疎水性表面は、より暗い色および低い光度をもつ隣接した支持布に対する目の知覚を抑制することができ、それゆえこの物品のヒトの知覚は、月経液の添加の前および後で、より明るい色の疎水性表面に対するものである。この効果については一つの例外があり、赤色の月経液が赤色の生地の範囲に添加された場合には、色および光度の変化は小さくなるだろう（カラーマスキングよりもむしろカラーマッチング）。支持布の輝度が増す（より暗くなくなる）につれ、視覚認知および増大されたΔＥ値によって測定されるように、カラーマスキングがより効果的でなくなることが予想された。このような原理は、黒色（非常に低い輝度をもつ）から白色（高い光度をもつ）にわたる支持布の上に、ある範囲に着色された疎水性表面が配置されることによりテストされた。
【手続補正９】
【補正対象書類名】明細書
【補正対象項目名】００６３
【補正方法】変更
【補正の内容】
【００６３】
【表４】
2005525132.tif 000047
【手続補正１０】
【補正対象書類名】明細書
【補正対象項目名】００６６
【補正方法】変更
【補正の内容】
【００６６】
この系に対して添加された人工月経液は、カラーマスキング層を通り、数秒以内に迅速に、下の表面へ透過されることが全般的に観察された。しかしながら、各々約７５％の閉鎖された領域、および８０％の閉鎖された領域を有する０．５ｍｍおよび１．０ｍｍの円盤は、液透過性の浸水性の生地表面の低い面積パーセントのため、比較的遅い透過速度を有していた。しかしながら、このような場合において、カラーマスキング層（支持布へ付着された、着色された疎水性円盤）全体に、Ｌｕｒｏｌ ＰＰ−９７２５などの親水性の界面活性剤をスプレイすることにより、これらの遅い透過速度は著しく増大され得ることが観察された。理論に拘束されないが、親水性の界面活性剤は疎水性の表面から効果的にはじかれて支持布へ移動し、そこで支持布の液体移動特性が増大されると考えられる。透過におけるこの増大は、αおよびβシリーズにおけるような、いくつかの系において認められ、測定されている（緑色のＣｙｔｏｎｉｘ Ｑ３４８   ＰｅｒＦｌｕｏｒｏＣｏａｔTM、βシリーズは、スクリーン印刷の後、最後に加熱加圧されたが、αシリーズはされなかった）。αシリーズにおいては、約８０％の閉鎖された領域をもつ１．０ｍｍの円盤は、人工月経液を約６０秒間保持し、その後ＡＭＦは迅速にカラーマスキング層を通って移動した。しかしながら、この親水性の界面活性剤を用いた処理の後は、ＡＭＦは直ちにカラーマスキング層を透過することが観察された。このタイプの挙動はまた、βシリーズでも繰り返されたが、αシリーズ用に仕分けされた同じ面積を有する円盤は、ＡＭＦを約４０秒間保持したが、界面活性剤によってこれらが処理された後は、ＡＭＦは直ちにカラーマスキング層を透過することが観察された。この効果は、支持布（フォクシー・スパンデックス（Foxy Spandex））の上に、近接して間隔を置いて並べられた円盤を有する市販の材料において認められ、そのことにより、その表面上に置かれたＡＭＦがカラーマスキング層へ透過される前に６０秒間の遅れがあったが、それに対し、親水性の界面活性剤による処理の後は、ＡＭＦはほぼ直ちに透過した。
【手続補正１１】
【補正対象書類名】明細書
【補正対象項目名】００７５
【補正方法】変更
【補正の内容】
【００７５】
ΔＥ対Ｌ系−Ｌ布／Ｌ系（光度関数）のプロット（図１７Ａ）は、疎水性表面と支持布の色を選ぶための予想手段を提供する。一般に、系の吸収性物品のＬ値が３５より大きい場合、このとき、関係（Ｌ系−Ｌ布）／Ｌ系＞０．２が、系と支持布の材料との間に存在する場合、色の組み合わせに関わらず、ΔＥの変化＜〜１２が観察され、図１７Ａに示されるように、有効なカラーマスキング効果があることが見出されている。
【手続補正１２】
【補正対象書類名】明細書
【補正対象項目名】００７６
【補正方法】変更
【補正の内容】
【００７６】
さらに、系の吸収性物品のＬ値が、３５より小さい場合、このとき、一般に、関係（Ｌ系−Ｌ布）／Ｌ系＞−０．１が、系と支持布の材料との間に存在する場合、ΔＥの変化＜〜１２が観察され、図１７Ａに示されるように、暗色および黒色の色については有効なカラーマスキング効果が示されている。負の数は、支持布よりもわずかに明るい色が吸収性物品の系において使用される可能性を考慮しており、＜〜１０ないし１２のΔＥは、もし材料が充分に暗い場合に結果として生じることが可能である。典型的には、支持布および疎水性表面の色が同じである場合、関係（Ｌ系−Ｌ布／Ｌ系）は０に等しくなるであろう。
【手続補正１３】
【補正対象書類名】明細書
【補正対象項目名】００７９
【補正方法】削除
【補正の内容】
【手続補正１４】
【補正対象書類名】明細書
【補正対象項目名】００８０
【補正方法】削除
【補正の内容】
【手続補正１５】
【補正対象書類名】明細書
【補正対象項目名】００８１
【補正方法】削除
【補正の内容】
【手続補正１６】
【補正対象書類名】図面
【補正対象項目名】図１
【補正方法】変更
【補正の内容】
【図１】
2005525132.tif 000048
【手続補正１７】
【補正対象書類名】図面
【補正対象項目名】図１６
【補正方法】変更
【補正の内容】
【図１６】
2005525132.tif 000049
【手続補正１８】
【補正対象書類名】図面
【補正対象項目名】図１７ａ
【補正方法】変更
【補正の内容】
【図１７ａ】
2005525132.tif 000050
【国際調査報告】
2005525132.tif 000051
2005525132.tif 000052
2005525132.tif 000053
2005525132.tif 000054